(57)【特許請求の範囲】
【請求項１】
直列状態で多数個配置される廃タイヤの端部を一部が接続状態となるように輪切りされて広げられたよう壁材本体および係止片、この直列状態で多数個配置されたよう壁材本体の隣り合うよう壁材本体をそれぞれ係合する多数個の係合片、前記直列状態で多数個配置されたよう壁材本体の少なくとも前方部位の切断部をそれぞれ覆う多数個のカバー体、前記直列状態で多数個配置されたよう壁材本体内および前記係止片部位に充填された土砂、モルタル、コンクリート等の充填材とからなる下部よう壁層と、この下部よう壁層の上部に複数層となるように積み重ねられた、該下部よう壁層と同構成の上部よう壁層とからなることを特徴とするよう壁。
【請求項２】
廃タイヤの端部を、一部が接続状態となるように輪切りされて形成されたよう壁材本体および係止片と、このよう壁材本体の少なくとも前方部位の切断部を覆うように取付けられたカバー体と、前記よう壁材本体を直列状態に位置する場合に、隣り合うよう壁材本体を係合状態にする係合片とからなることを特徴とするよう壁材。
【請求項３】
よう壁材本体の少なくとも前方部位の外周面には不燃性の塗料で塗装されていることを特徴とする請求項１記載のよう壁。
【発明の詳細な説明】
【０００１】
【発明の属する技術分野】
本発明は廃タイヤを用いたよう壁およびよう壁材に関する。
【０００２】
【従来の技術】
従来、産業廃棄物として処理されている廃タイヤの端部を、一部が接続状態となるように輪切りしたものをよう壁材として使用することが本願出願人によって提案されている。
【０００３】
【発明が解決しようとする課題】
従来の廃タイヤをよう壁材として使用した場合、廃タイヤを輪切りすると、該廃タイヤに埋設されているピアノ線が切断部より突出して危険であるという欠点があるとともに、直列状態で多数個配置した場合でも、隣り合うよう壁材本体との結合がなく、十分な強度が得られないという欠点があった。
【０００４】
本発明は以上のような従来の欠点に鑑み、切断部から突出するピアノ線が外部に突出するのを確実に阻止して、安全に使用することができるとともに、隣り合うよう壁材本体を確実に係合状態として十分な強度が得られる、植物の栽培が可能で、廃タイヤの有効利用を図ることができるよう壁およびよう壁材を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は直列状態で多数個配置される廃タイヤの端部を一部が接続状態となるように輪切りされて広げられたよう壁材本体および係止片、この直列状態で多数個配置されたよう壁材本体の隣り合うよう壁材本体をそれぞれ係合する多数個の係合片、前記直列状態で多数個配置されたよう壁材本体の少なくとも前方部位の切断部をそれぞれ覆う多数個のカバー体、前記直列状態で多数個配置されたよう壁材本体内および前記係止片部位に充填された土砂、モルタル、コンクリート等の充填材とからなる下部よう壁層と、この下部よう壁層の上部に複数層となるように積み重ねられた、該下部よう壁層と同構成の上部よう壁層とでよう壁を構成している。
【０００７】
また、本発明は廃タイヤの端部を、一部が接続状態となるように輪切りされて形成されたよう壁材本体および係止片と、このよう壁材本体の少なくとも前方部位の切断部を覆うように取付けられたカバー体と、前記よう壁材本体を直列状態に位置する場合に、隣り合うよう壁材本体を係合状態にする係合片とでよう壁材を構成している。
【０００８】
【発明の実施の形態】
以下、図面に示す実施の形態により、本発明を詳細に説明する。
【０００９】
図１ないし図７に示す本発明の第１の実施の形態において、１は本発明のよう壁材で、このよう壁材１は廃タイヤの端部を、一部が接続状態となるように輪切りされて広げられたよう壁材本体２および係止片３と、このよう壁材本体２の少なくとも前方部位の切断部２ａを覆うように取付けられた、廃ホースやホース等の一部の軸心部位を切断して開口部４を形成し、該開口部４より前記切断部２ａを内部に収納してカバーするカバー体５と、前記よう壁材本体２を直列状態に配置する場合に、隣り合うよう壁材本体２、２を係合状態にする、鉄筋をＵ字状に曲げ加工した係合片６とで構成されている。
【００１０】
このようなよう壁材１は係止片３を広げた状態で直列に多数個配置し、隣り合うよう壁材本体２、２を係合片６で係合させた後、よう壁材本体２内および係止片３部位に土砂、モルタル、コンクリート等の充填材７を充填して下部よう壁層８を形成する。
しかる後、前記下部よう壁層８の上部によう壁材１が半分ずれた位置となる、複数層となるように積み重ねられた、該下部よう壁層８と同構成の上部よう壁層９とでよう壁１０を構成する。
【００１１】
【発明の異なる実施の形態】
次に、図８ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図８ないし図１０に示す本発明の第２の実施の形態において、前記本発明の第１の実施の形態と主に異なる点は、よう壁材本体２の少なくとも前方部位の外側面、本発明の実施の形態ではよう壁材本体２の全外側面に不燃性の塗料で塗装１１したよう壁材１Ａを用いてよう壁１０Ａを構成した点で、このように構成したよう壁１０Ａにしても、前記本発明の第１の実施の形態と同様な作用効果が得られる。
【００１３】
図１１ないし図１３に示す本発明の第３の実施の形態において、前記本発明の第２の実施の形態と主に異なる点は、よう壁材本体２内に植物栽培用の土を用いた充填材７Ａを充填して下部よう壁層８Ａを形成するとともに、該下部よう壁層８Ａよりほぼ半分、後方へずれるように順次積み重ねられた複数層の上部よう壁層９Ａを形成した点で、このように構成したよう壁１０Ｂにしても、前記本発明の第２の実施形態と同様な作用効果が得られる。
【００１４】
図１４ないし図１６に示す本発明の第４の実施の形態において、前記本発明の第１の実施の形態と主に異なる点は、コ字状の一辺中央部にねじ孔１２が形成された係合片本体１３と、この係合片本体１３のねじ孔１２と螺合する締付け用のボルト１４とからなる係合片６Ａを用いたよう壁材１Ｂを用いてよう壁１０Ｃを形成した点で、このように構成しても前記本発明の第１の実施の形態と同様な作用効果が得られる。
【００１５】
【発明の効果】
以上の説明から明らかなように、本発明にあっては次に列挙する効果が得られる。
【００１６】
（１）直列状態で多数個配置される廃タイヤの端部を一部が接続状態となるように輪切りされて広げられたよう壁材本体および係止片、この直列状態で多数個配置されたよう壁材本体の隣り合うよう壁材本体をそれぞれ係合する多数個の係合片、前記直列状態で多数個配置されたよう壁材本体の少なくとも前方部位の切断部をそれぞれ覆う多数個のカバー体、前記直列状態で多数個配置されたよう壁材本体内および前記係止片部位に充填された土砂、モルタル、コンクリート等の充填材とからなる下部よう壁層と、この下部よう壁層の上部に複数層となるように積み重ねられた、該下部よう壁層と同構成の上部よう壁層とで構成されているので、直列状態で多数個配置されたよう壁材本体の隣り合うよう壁材本体をそれぞれ係合状態で係合することができる。
したがって、よう壁材本体の崩れ事故等を効率よく阻止することができる。
【００１７】
（２）前記（１）によって、よう壁材本体の少なくとも前方部位の切断部をカバー体で覆っているので、よう壁材本体の切断部から突出するピアノ線による事故を確実に阻止することができるとともに、カバー体によって線取りした状態にでき、美観の向上を図ることができる。
【００１８】
（３）前記（１）によって、従来、産業廃棄物として処理されていた廃タイヤをよう壁材として使用することができる。
したがって、資源の有効利用を図ることができる。
【００１９】
（４）前記（１）によって、廃タイヤの端部を一部が接続する状態となる輪切りされたよう壁材を用いているので、充填材がよう壁材本体内や係止片部位に充填されるため、崩れづらく、強固なよう壁を形成することができる。
【００２０】
（５）前記（１）によって、よう壁材本体はドーナツ状に形成されているので、植物を栽培することができる土砂等を充填材として使用することにより、植物の栽培が可能な花壇として使用できるよう壁にできる。
【００２１】
（６）請求項２、３も前記（１）〜（５）と同様な効果が得られる。
【図面の簡単な説明】
【図１】本発明の第１の実施の形態の正面図。
【図２】本発明の第１の実施の形態の平面図。
【図３】図１の３−３線に沿う断面図。
【図４】本発明の第１の実施の形態のよう壁材の平面図。
【図５】本発明の第１の実施の形態のよう壁材の側面図。
【図６】図４の６−６線に沿う断面図。
【図７】本発明の第１の実施の形態の下部よう壁層の説明図。
【図８】本発明の第２の実施の形態の正面図。
【図９】図８の９−９線に沿う断面図。
【図１０】本発明の第２の実施の形態のよう壁材の説明図。
【図１１】本発明の第３の実施の形態の正面図。
【図１２】本発明の第３の実施の形態の平面図。
【図１３】図１１の１３−１３線に沿う断面図。
【図１４】本発明の第４の実施の形態の正面図。
【図１５】本発明の第４の実施の形態のよう壁材の平面図。
【図１６】図１５の１６−１６線に沿う断面図。
【符号の説明】
１、１Ａ、１Ｂ：よう壁材、
２：よう壁材本体、      ３：係止片、
４：開口部、            ５：カバー体、
６、６Ａ：係合片、      ７、７Ａ：充填材、
８、８Ａ：下部よう壁層、９、９Ａ：上部よう壁層、
１０、１０Ａ、１０Ｂ、１０Ｃ：よう壁、
１１：塗装、            １２：ねじ孔、
１３：係合片本体、      １４：締付け用のボルト。
【図１】
0003761160.tif 000002
【図２】
0003761160.tif 000003
【図３】
0003761160.tif 000004
【図４】
0003761160.tif 000005
【図５】
0003761160.tif 000006
【図６】
0003761160.tif 000007
【図７】
0003761160.tif 000008
【図８】
0003761160.tif 000009
【図９】
0003761160.tif 000010
【図１０】
0003761160.tif 000011
【図１１】
0003761160.tif 000012
【図１２】
0003761160.tif 000013
【図１３】
0003761160.tif 000014
【図１４】
0003761160.tif 000015
【図１５】
0003761160.tif 000016
【図１６】
0003761160.tif 000017